(57)【要約】      （修正有）【課題】第１開口に第１蓋およびノズル部が取付けられ、第２開口にて液体補充可能な液体容器にて、容器構造複雑化を抑制し液体補充に手間取ることを抑制する。【解決手段】この液体容器は、第１開口および第２開口６０を備えている。第２開口は肩部２０に備えられ、対応する第２蓋７０は、接続部７２を支点とするフラップ式の動作に基づいて、第２開口の閉塞状態および露出状態が達成されるようになっている。露出状態を達成する場合には、第１突起部７３が第１凹部２３に嵌合されて、フラップ式の動作が規制される。板状部７１および第２開口のなす角度がゼロより大きい状態が維持されて、第２開口の露出状態が維持される。これにより、第２開口の形成に縮径構造が不要となるのに加え、板状部を常時把持することなく、第２開口の露出状態を維持できる。【選択図】図４
0003232367.tif 000002
【実用新案登録請求の範囲】
【請求項１】
液体を収容可能に構成された筒状の胴部と、
前記胴部の上方端に接続されて、上方に向かって縮径するように構成された筒状の肩部と、
前記肩部の上方端に配設された第１開口と、
前記第１開口を閉塞可能に構成された第１蓋と、
前記第１蓋に一体的に配設されて、前記第１蓋により前記第１開口が閉塞されている状態において、前記収容されている前記液体に没入するチューブを介し前記液体を吐出可能に構成されたノズル部と、
前記肩部に配設されて、露出状態において液体補充が可能となるように構成された第２開口と、
前記第２開口を閉塞可能に構成された第２蓋と、
を備えた液体容器において、
前記第２蓋は、少なくとも、
一端側および前記一端側と反対側の他端側が規定され、前記第２開口を覆うことで閉塞状態を達成可能なように構成された板状部と、
前記板状部の前記一端側に、前記肩部の所定部位と接続されて前記板状部のフラップ式の動作を許容するように構成された接続部と、
を備え、
前記接続部を支点とする前記フラップ式の動作に基づいて前記第２開口の前記閉塞状態および前記露出状態が達成され、前記露出状態を達成する場合には、前記板状部および前記第２開口のなす角度がゼロより大きい状態が維持されるよう前記フラップ式の動作が規制されて、前記第２開口の前記露出状態が維持されるように構成された液体容器。
【請求項２】
請求項１に記載の液体容器において、
前記第２蓋の前記接続部は、
前記肩部における前記第１開口および前記第２開口の間の部位に接続され、
前記肩部は、更に、
前記第１開口および前記接続部の間の部位に第１凹部を備え、
前記第２蓋は、更に、
前記板状部の前記他端側に、前記肩部の前記第１凹部と嵌合可能に構成された第１突起部を備え、
前記第２開口の前記露出状態を達成する場合には、前記第１凹部への前記第１突起部の嵌合が維持されて、前記フラップ式の動作が規制されるように構成された液体容器。
【請求項３】
請求項１に記載の液体容器において、
前記第２蓋の前記接続部は、
前記肩部における前記第１開口および前記第２開口の間の部位に接続され、
前記第１蓋は、
頂面が規定されるスクリュー式のキャップであり、前記頂面に溝部を備え、
前記第２蓋は、更に、
前記板状部の前記他端側に、前記第１蓋の前記溝部と嵌合可能に構成された第１突起部を備え、
前記第２開口の前記露出状態を達成する場合には、前記溝部への前記第１突起部の嵌合が維持されて、前記フラップ式の動作が規制されるように構成された液体容器。
【請求項４】
請求項１に記載の液体容器において、
前記第２蓋の前記接続部は、
前記肩部における前記第１開口および前記第２開口の間の部位に接続され、
前記第１蓋は、
側面が規定されるスクリュー式のキャップであり、前記側面に溝部を備え、
前記第２蓋は、更に、
前記板状部の前記他端側に、前記第１蓋の前記溝部と嵌合可能に構成された第１突起部を備え、
前記第２開口の前記露出状態を達成する場合には、前記溝部への前記第１突起部の嵌合が維持されて、前記フラップ式の動作が規制されるように構成された液体容器。
【請求項５】
請求項２乃至請求項４の何れか一項に記載の液体容器において、  前記胴部は、更に、
所定部位に第２凹部を備え、
前記第２蓋は、更に、
前記板状部の前記他端側に、前記胴部の前記第２凹部と嵌合可能に構成された第２突起部を備え、
前記第２開口の前記閉塞状態を達成する場合には、前記第２凹部への前記第２突起部の嵌合が維持されて、前記板状部により前記第２開口を覆う状態が維持されるよう前記フラップ式の動作が規制されるように構成された液体容器。
【請求項６】
請求項１乃至請求項５の何れか一項に記載の液体容器において、
前記第２蓋の前記接続部は、
前記肩部との接続を切り離し可能に構成された液体容器。
【請求項７】
請求項１乃至請求項６の何れか一項に記載の液体容器において、
前記第２蓋の前記板状部は、
台形を呈しており、前記台形の下底および前記下底よりも短い上底が、前記一端側および前記他端側にそれぞれ対応するように構成され、
前記第２蓋の前記接続部は、
前記下底および前記上底と平行な折り目を備え、前記折り目を介して前記フラップ式の動作を許容するように構成された液体容器。
【請求項８】
請求項１乃至請求項７の何れか一項に記載の液体容器において、
前記第２開口は、更に、
前記第２蓋の外縁から外側に張り出し、前記肩部に接する外縁膜を備えた液体容器。
【考案の詳細な説明】
【技術分野】
【０００１】
本考案は、液体を収容する液体容器に関する。
【背景技術】
【０００２】
従来より、シャンプー等の液体を収容する液体容器において、２つの開口を備えたものが知られている。この種の液体容器は、例えば、液体を収容可能に構成された筒状の胴部と、胴部の上方端に接続されて、上方に向かって縮径するように構成された筒状の肩部とを備えている。その肩部の上方端に第１開口が配設され、肩部の所定位置に第２開口が配設されている。
【０００３】
更に、この種の液体容器は、第１開口に対応して、第１蓋およびノズル部を備えている。第１蓋は、第１開口を閉塞可能に構成されている。ノズル部は、第１蓋に一体的に配設されている。そして、ノズル部は、第１蓋により第１開口が閉塞されている状態において、収容されている液体に没入するチューブを介し液体を吐出可能に構成されている。
【０００４】
第２開口は、露出状態において液体補充が可能となるように構成されている。第２開口に対応して、第２開口を閉塞可能に構成された第２蓋が、備えられている。これにより、液体補充の際に、第２開口を介して液体を補充できるため、第１蓋およびノズル部を第１開口から取り外す段取りを、なくすことができる。従って、第１蓋およびノズル部の取り外しに伴い、液体が飛散する事象を抑制でき、また、取り外した第１蓋およびノズル部の置き場所を確保する手間を、なくすことができる。（例えば、特許文献を参照）。
【先行技術文献】
【特許文献】
【０００５】
【特許文献１】特開２０１６−１４７６８４号公報
【特許文献２】特開２０１８−０１２５３３号公報
【特許文献３】実用新案登録第３１３７４８５号公報
【考案の概要】
【０００６】
この種の液体容器においては、第２開口の形成のために、第１開口と同様、上方に向かう縮径構造を備える場合が多い。即ち、第１開口の縮径構造に加え、肩部の所定部位に更なる縮径構造が備えられ、その上方端に第２開口が形成される。この場合、容器全体として複数個の縮径構造を有することになり、容器構造の複雑化に伴って生産の難度が高くなるという問題がある。
【０００７】
上記の問題に対し、第２開口の形成のために、上述のような縮径構造を備えない液体容器も考えられる。例えば、第２開口に対応する第２蓋が、板状部および接続部を備えてもよい。この場合、板状部は、第２開口を覆うことで閉塞状態を達成可能なように構成される。接続部は、板状部の一端側に備えられ、肩部の所定部位と接続されて、板状部のフラップ式の動作を許容するように構成される。
【０００８】
これにより、上述のような縮径構造を備える必要がなくなり、上記問題の解決が期待される。一方で、液体補充の際に、第２開口の露出状態を維持するため、第２蓋の板状部をフラップ式に持ち上げたまま、板状部を常時把持して姿勢保持する必要がある。このため、液体補充に手間取る可能性が高くなるという問題がある。
【０００９】
以上より、容器構造の複雑化を抑制でき、かつ、液体補充に手間取ることを抑制できる液体容器が望まれている。
【００１０】
本考案の目的は、２つの開口を備えた液体容器であって、一方の第１開口にて第１蓋およびノズル部が取り付けられ、他方の第２開口にて液体補充が可能に構成された液体容器において、容器構造の複雑化を抑制でき、かつ、液体補充に手間取ることを抑制できるものを提供することにある。
【００１１】
本考案による液体容器は、液体を収容可能に構成された筒状の胴部と、胴部の上方端に接続されて上方に向かって縮径するように構成された筒状の肩部と、肩部の上方端に配設された第１開口と、第１開口を閉塞可能に構成された第１蓋と、第１蓋に一体的に配設されて第１蓋により第１開口が閉塞されている状態において、収容されている液体に没入するチューブを介し液体を吐出可能に構成されたノズル部と、肩部に配設されて露出状態において液体補充が可能となるように構成された第２開口と、第２開口を閉塞可能に構成された第２蓋と、を備える。
【００１２】
本考案による液体容器の特徴は、第２蓋が、少なくとも、一端側および一端側と反対側の他端側が規定され第２開口を覆うことで閉塞状態を達成可能なように構成された板状部と、板状部の一端側に肩部の所定部位と接続されて板状部のフラップ式の動作を許容するように構成された接続部と、を備え、接続部を支点とするフラップ式の動作に基づいて第２開口の閉塞状態および露出状態が達成され、露出状態を達成する場合には、板状部および第２開口のなす角度がゼロより大きい状態が維持されるようフラップ式の動作が規制されて、第２開口の露出状態が維持されるように構成されたことにある。
【００１３】
これによれば、第１開口形成のための縮径構造とは別に、第２開口形成のために、肩部に縮径構造を設ける必要がなくなる。従って、容器構造の複雑化を抑制できる。また、第２開口の露出状態を維持する場合、第２蓋の板状部を一旦持ち上げると、フラップ式の動作が規制されて板状部が姿勢保持されるため、板状部を常時把持する必要がなくなる。従って、液体補充に手間取ることを抑制できる。
【００１４】
以上、本考案の構成によれば、容器構造の複雑化を抑制でき、かつ、液体補充に手間取ることを抑制できる。
【００１５】
また、本考案の液体容器においては、第２蓋の接続部が、肩部における第１開口および第２開口の間の部位に接続され、肩部が、更に、第１開口および接続部の間の部位に第１凹部を備え、第２蓋が、更に、板状部の他端側に肩部の第１凹部と嵌合可能に構成された第１突起部を備え、第２開口の露出状態を達成する場合には、第１凹部への第１突起部の嵌合が維持されて、フラップ式の動作が規制されるように構成されると好適である。
【００１６】
また、本考案の液体容器においては、第２蓋の接続部が、肩部における第１開口および第２開口の間の部位に接続され、第１蓋が、頂面が規定されるスクリュー式のキャップであり頂面に溝部を備え、第２蓋が、更に、板状部の他端側に第１蓋の溝部と嵌合可能に構成された第１突起部を備え、第２開口の露出状態を達成する場合には、溝部への第１突起部の嵌合が維持されて、フラップ式の動作が規制されるように構成されると好適である。
【００１７】
また、本考案の液体容器においては、第２蓋の接続部が、肩部における第１開口および第２開口の間の部位に接続され、第１蓋が、側面が規定されるスクリュー式のキャップであり側面に溝部を備え、第２蓋が、更に、板状部の他端側に第１蓋の溝部と嵌合可能に構成された第１突起部を備え、第２開口の露出状態を達成する場合には、溝部への第１突起部の嵌合が維持されて、フラップ式の動作が規制されるように構成されると好適である。
【００１８】
また、本考案の液体容器においては、胴部が、更に、所定部位に第２凹部を備え、第２蓋が、更に、板状部の他端側に胴部の第２凹部と嵌合可能に構成された第２突起部を備え、第２開口の閉塞状態を達成する場合には、第２凹部への第２突起部の嵌合が維持されて、板状部により第２開口を覆う状態が維持されるようフラップ式の動作が規制されるように構成されると、更に好適である。
【００１９】
また、本考案の液体容器においては、第２蓋の接続部が、肩部との接続を切り離し可能に構成されてもよい。
【００２０】
また、本考案の液体容器においては、第２蓋の板状部が、台形を呈しており、台形の下底および下底よりも短い上底が、一端側および他端側にそれぞれ対応するように構成され、第２蓋の接続部が、下底および上底と平行な折り目を備え、折り目を介してフラップ式の動作を許容するように構成されてもよい。
【００２１】
また、本考案の液体容器においては、第２開口が、更に、第２蓋の外縁から外側に張り出し、肩部に接する外縁膜を備えてもよい。
【図面の簡単な説明】
【００２２】
【図１】本考案の第１実施形態に係る液体容器の全体図である。
【図２】図１に示した液体容器の第２蓋の構成図である。
【図３】図１に示した液体容器の第２開口の閉塞状態における第２蓋近傍の拡大図である。
【図４】図１に示した液体容器の第２開口の露出状態における第２蓋近傍の拡大図である。第２蓋に外縁膜を追加した例を示している。
【図５】本考案の第２実施形態に係る液体容器の全体図である。
【図６】図５に示した液体容器の第２蓋の構成図である。
【図７】図５に示した液体容器の第２開口の閉塞状態における第２蓋近傍の拡大図である。
【図８】図５に示した液体容器の第２開口の露出状態における第２蓋近傍の拡大図である。第２蓋に外縁膜を追加した例を示している。
【図９】本考案の第３実施形態に係る液体容器の全体図である。
【図１０】図９に示した液体容器の第２蓋の構成図である。
【図１１】図９に示した液体容器の第２開口の閉塞状態における第２蓋近傍の拡大図である。
【図１２】図９に示した液体容器の第２開口の露出状態における第２蓋近傍の拡大図である。第２蓋に外縁膜を追加した例を示している。
【考案を実施するための形態】
【００２３】
以下、本考案による液体容器の各実施形態について図面を参照しつつ説明する。以下の説明において、上下方向、左右方向は、各図面において使用者から見た上下方向、左右方向に相当しており、各図面中に適宜示される矢印の方向に対応している。
【００２４】
＜第１実施形態＞
図１は、本考案の第１実施形態に係る液体容器１００を説明するための図である。この液体容器１００は、胴部１０、肩部２０、第１開口３０、第１蓋４０、ノズル部５０、第２開口６０、および、第２蓋７０を備えている。これらの構成部材の材料としては、例えば、プラスチック等が用いられるが、これに限定されない。また、材料としてプラスチックが用いられる場合、生産工程として、ペレットを原料としたブロー成型、射出成型等が用いられてもよい。
【００２５】
胴部１０は、筒状を呈しており、下方端に底面を備えることで、内部にシャンプー等の液体を収容可能に構成されている。胴部１０の断面形状は任意であり、例えば、多角形、円形、楕円形等であり、これらに限定されない。上方端１１には、後述のように肩部２０が接続されるようになっている。更に、胴部１０の上方端１１においては、第２開口６０と隣り合う胴部１０の側面に、第２凹部１２が備えられている。第２凹部１２は、２か所の凹部であって、後述する第２蓋７０の第２突起部７４と嵌合可能なサイズとなっている。
【００２６】
肩部２０は、筒状を呈しており、胴部１０の上方端１１に接続されている。肩部２０は、胴部１０との接続部位にて最大径を有しており、上方に向かって縮径するように構成されている。このため、肩部２０は、肩部２０の上方端２１にて、最小径を有する。上方端２１の側面には、第１蓋４０と螺合するネジ山が備えられている。
【００２７】
また、肩部２０においては、第１開口３０および第２開口６０の間の部位に、嵌合孔２２が、第２開口６０と隣り合うように備えられている。嵌合孔２２は、複数の貫通孔であって、後述する第２蓋７０の接続部７２の突起７２ａが嵌合され、また、取り外しも可能となっている。更に、嵌合孔２２および第１開口３０の間の部位に、第１凹部２３が備えられている。第１凹部２３は、円形の凹部であって、後述する第２蓋７０の球状の第１突起部７３と嵌合可能なサイズとなっている。より具体的には、第１凹部２３の径は、第１突起７３の径よりも小さく、篏合時には、第１突起７３が弾性変形しながら第１凹部２３に嵌入されるようになっている。
【００２８】
第１開口３０は、円形状を呈しており、肩部２０の上方端２１に配設されている。第１開口３０は、胴部１０および肩部２０のそれぞれの内部と連通するようになっている。
【００２９】
第１蓋４０は、スクリュー式の円形キャップであり、頂面４１および側面４２を備えている。この側面４２が肩部２０の上方端２１に螺合されて、頂面４１が第１開口３０を覆うようになっている。このようにして、第１蓋４０は、第１開口３０を閉塞可能に構成されている。
【００３０】
ノズル部５０は、ポンプ５１、および、チューブ５２を備えている。ノズル部５０は、第１蓋４０の頂面４１を貫通しつつ、第１蓋４０に一体的に配設されている。ポンプ５１およびチューブ５２は、第１蓋４０の上方および下方に、それぞれ備えられている。ポンプ５１は、プッシュ式の手動ポンプであり、チューブ５２と連通している。チューブ５２は、第１蓋４０が第１開口３０を閉塞する際に、第１開口３０を介して胴部１０の内部まで侵入するようになっている。これにより、チューブ５２は、胴部１０に液体が収容されており、かつ、第１蓋４０により第１開口３０が閉塞されている状態において、収容されている液体に没入するようになっている。この状態でポンプ５１を作動させることで、チューブ５２を介して、収容されている液体が容器外に向けて吐出されるようになっている。
【００３１】
第２開口６０は、肩部２０の側面であって、胴部１０の上方端１１と隣り合う部位に配設されている。第２開口６０の形状は任意であり、例えば、多角形、円形、楕円形等であり、これらに限定されない。第２開口６０は、胴部１０および肩部２０のそれぞれの内部と連通し、第２開口６０の露出状態において、第２開口６０から液体補充が可能となっている。
【００３２】
第２蓋７０は、板状部７１、接続部７２、第１突起部７３、および、第２突起部７４を備えている。第２蓋７０は、板状部７１にて第２開口６０を覆うことで、閉塞状態を達成可能なように構成されている。板状部７１は、一端側７１ａおよび他端側７１ｂが規定され、接続部７２は、板状部７１の一端側７１ａに備えられている。接続部７２は、突起７２ａが嵌合孔２２と嵌合されることで、肩部２０に接続される。これにより、接続部７２を支点として、板状部７１のフラップ式の動作が許容される。第１突起部７３および第２突起部７４は、板状部７１の他端側７１ｂに備えられている。第１突起部７３および第２突起部７４が、第１凹部２３および第２凹部１２とそれぞれ嵌合されたとき、フラップ式の動作が規制されるようになっている。
【００３３】
ここにおいて、フラップ式の動作は、接続部７２が肩部２０に接続されている状態において、板状部７１の面および第２開口６０の開口断面のなす角度が変化する動作である（図４および図８の角度Ａを参照）。
【００３４】
図２は、第２蓋７０の構成図であり、図２（ａ）および図２（ｂ）は、第２蓋７０の表側および裏側から見た状態を、それぞれ示している。板状部７１は、台形を呈しており、その面積は第２開口６０の面積よりも大きい。台形の下底７１ｃおよび上底７１ｄは、一端側７１ａおよび他端側７１ｂに対応している。なお、下底７１ｃおよび上底７１ｄは、互いに平行で、下底７１ｃは上底７１ｄよりも長くなっている。
【００３５】
接続部７２は、突起７２ａ、および、折り目７２ｂを備えている。突起７２ａは、第２蓋７０の裏側に複数備えられており、肩部２０の嵌合孔２２にそれぞれが嵌合可能となっている。即ち、接続部７２は、肩部２０において、第１開口３０および第２開口６０の間の部位に接続される。また、嵌合された突起７２ａは、嵌合孔２２から取り外すこともできるようになっている。折り目７２ｂは、下底７１ｃおよび上底７１ｄと平行であり、第２蓋７０の表側から見て、板状部７１を谷折りできるように構成されている。このように、接続部７２は、肩部２０との接続を切り離し可能に、かつ、折り目７２ｂを介してフラップ式の動作を許容するように構成されている。
【００３６】
第１突起部７３は、第２蓋７０の表側であって、板状部７１の他端側７１ｂに備えられている。第１突起部７３は、球状を呈しており、肩部２０の第１凹部２３と嵌合可能に構成されている。
【００３７】
第２突起部７４は、第２蓋７０の裏側であって、板状部７１の他端側７１ｂの左右両側に２つ備えられている。第２突起部７４は、フック状を呈しており、胴部１０の第２凹部１２と嵌合可能に構成されている。
【００３８】
更に、第２蓋７０は、円形の貫通孔７５を備えている。貫通孔７５は、接続部７２が肩部２０に接続されている状態で、第１凹部２３と重なり合うように位置している。この状態で、第１突起部７３が第１凹部２３に嵌合される場合には、第１突起部７３は、第１凹部２３と重なり合う貫通孔７５を通り抜けるようになっている。
【００３９】
図３は、第２開口６０の閉塞状態における第２蓋７０近傍の拡大図である。第２開口６０の閉塞状態は、接続部７２が肩部２０に接続され、板状部７１により第２開口６０を覆う状態である。第２開口６０の閉塞状態を達成する場合には、第２凹部１２に第２突起部７４を嵌合させる。この嵌合が維持されて、板状部７１により第２開口６０を覆う状態が維持されるよう、板状部７１のフラップ式の動作が規制される。この場合、フラップ式の動作において、板状部７１および第２開口６０のなす角度がゼロとなる状態が維持される。
【００４０】
図４は、第２開口６０の露出状態における第２蓋７０近傍の拡大図である。第２開口６０の露出状態は、接続部７２が肩部２０に接続され、板状部７１により第２開口６０を覆わない状態である。第２開口６０の露出状態を達成する場合には、第２凹部１２に嵌合されている第２突起部７４を取り外し、板状部７１の他端側７１ｂを持ち上げて、第１凹部２３に第１突起部７３を嵌合させる。この嵌合が維持されて、板状部７１により第２開口６０を覆わない状態が維持されるよう、板状部７１のフラップ式の動作が規制される。この場合、フラップ式の動作において、板状部７１および第２開口６０のなす角度Ａがゼロより大きい状態が維持される。このように、接続部７２を支点とするフラップ式の動作に基づいて、第２開口６０の閉塞状態および露出状態が達成される。なお、第２開口６０には、不図示の遮蔽板が備えられてもよい。遮蔽板は、露出状態において第２開口６０の一部を遮蔽する。一方、閉塞状態において、遮蔽板は、第２蓋７０における板状部７１の裏側と当接するようになっている。なお、図４に示すように、第２蓋７０の外縁には、水等の異物の侵入を防ぐ外縁膜７６を設けることが好ましい。外縁膜７６は第２蓋７０の外縁から外側に張り出し、肩部２０に接する。
【００４１】
以上、本考案の第１実施形態によれば、第１開口３０形成のための縮径構造とは別に、第２開口６０形成のために、肩部２０に縮径構造を設ける必要がなくなる。従って、容器構造の複雑化を抑制できる。また、第２開口６０の露出状態を維持する場合、第２蓋７０の板状部７１を一旦持ち上げると、フラップ式の動作が規制されて板状部７１が姿勢保持されるため、板状部７１を常時把持する必要がなくなる。従って、液体補充に手間取ることを抑制できる。
【００４２】
以上より、容器構造の複雑化を抑制でき、かつ、液体補充に手間取ることを抑制できる。更に、液体の収容量に応じて、胴部１０および肩部２０の構造を調整してもよく、例えば、多量の液体収容に対応できるよう、肩部２０の最大径部を拡大させることができる。これにより、肩部２０を左右方向に広げることができ、第２開口６０が配設される余地を、大きくすることができる。加えて、この場合、多量の液体を収容できるため（例えば、本来は小分けして補充することを想定していた詰替用シャンプーパッケージ等において、一度に全量補充できる）、液体の使用頻度が多い場合であっても、液体の補充回数を抑制できる。
【００４３】
また、本実施形態では特に、第１凹部２３が肩部２０に備えられ、第１突起部７３が板状部７１の他端側７１ｂに備えられている。第２開口６０の露出状態を達成する場合には、第１凹部２３への第１突起部７３の嵌合が維持されて、フラップ式の動作が規制される。このため、第２開口６０の露出状態を、簡易かつ確実に達成することができる。
【００４４】
また、本実施形態では特に、第２凹部１２が胴部１０に備えられ、第２突起部７４が板状部７１の他端側７１ｂに備えられている。第２開口６０の閉塞状態を達成する場合には、第２凹部１２への第２突起部７４の嵌合が維持されて、フラップ式の動作が規制される。このため、第２開口６０の閉塞状態を、簡易かつ確実に達成することができる。
【００４５】
また、本実施形態では特に、第２蓋７０の接続部７２が、肩部２０との接続を切り離し可能となっている。このため、例えば、液体容器１００の洗浄時等、必要に応じて第２蓋７０を取り外しでき、容易にメンテナンスすることができる。
【００４６】
また、本実施形態では特に、板状部７１が台形を呈しており、接続部７２が折り目７２ｂを備えている。折り目７２ｂにより、板状部７１のフラップ式の動作を、円滑に行うことができるとともに、第１突起部７３および第２突起部７４の嵌合に際し、これらの位置ずれを抑制することができる。更に、折り目部７２ｂは、板状部７１の一端側７１ａに位置し、長辺である下底７１ｃに近接している。このため、フラップ式の動作が繰り返されても、第２蓋７０の耐久性を維持することができる。
【００４７】
また、本実施形態では、第２開口６０が、遮蔽板を備えた場合、露出状態において第２開口６０の一部が遮蔽される。このため、第２開口６０を介して、充填されるべき液体以外の物質(例えば、水等)が混入することを、抑制することができる。
【００４８】
＜第２実施形態＞
次に、本考案の第２実施形態に係る液体容器１００を説明する。図５は、本考案の第２実施形態に係る液体容器１００を説明するための図である。この液体容器１００は、第１実施形態の第１凹部２３に代えて、第１蓋４０の頂面４１が溝部４１ａを備えている。また、第２蓋７０の第１突起部７３は、第１実施形態の第１凹部２３と嵌合するのに代えて、溝部４１ａと嵌合するようになっている。以上の点において、第２実施形態は第１実施形態と異なる。以下、第１実施形態と異なる点についてのみ説明する。
【００４９】
第１蓋４０の溝部４１ａは、輪状を呈しており、頂面４１の円周内側に同軸的に備えられている。また、図６に示すように、第２蓋７０の表側における第１突起部７３は、フック状を呈しており、第１蓋４０の溝部４１ａと嵌合可能に構成されている。本実施形態においては、第１実施形態の第２蓋７０における貫通孔７５を備えていない。なお、図６（ａ）および図６（ｂ）は、上述した図２（ａ）および図２（ｂ）に対応している。
【００５０】
図７に示すように、第２開口６０の閉塞状態を達成する場合には、第２凹部１２に第２突起部７４を嵌合させる。この嵌合が維持されて、板状部７１により第２開口６０を覆う状態が維持されるよう、板状部７１のフラップ式の動作が規制される。この場合、フラップ式の動作において、板状部７１および第２開口６０のなす角度がゼロとなる状態が維持される。
【００５１】
図８に示すように、第２開口６０の露出状態を達成する場合には、第２凹部１２に嵌合されている第２突起部７４を取り外し、板状部７１の他端側７１ｂを持ち上げて、第１蓋４０の溝部４１ａに第１突起部７３を嵌合させる。この嵌合が維持されて、板状部７１により第２開口６０を覆わない状態が維持されるよう、板状部７１のフラップ式の動作が規制される。この場合、フラップ式の動作において、板状部７１および第２開口６０のなす角度Ａがゼロより大きい状態が維持される。このように、接続部７２を支点とするフラップ式の動作に基づいて、第２開口６０の閉塞状態および露出状態が達成される。
【００５２】
以上、本考案の第２実施形態によっても、容器構造の複雑化を抑制でき、かつ、液体補充に手間取ることを抑制できる。特に、第１蓋４０に溝部４１ａが備えられ、第２蓋７０の第１突起部７３は、溝部４１ａと嵌合可能となっている。このため、第１実施形態のように、肩部２０に第１凹部２３を備える必要がなくなり、容器構造の複雑化を更に抑制することができる。
【００５３】
＜第３実施形態＞
次に、本考案の第３実施形態に係る液体容器１００を説明する。図９は、本考案の第３実施形態に係る液体容器１００を説明するための図である。この液体容器１００は、第２実施形態の溝部４１ａに代えて、第１蓋４０の側面４２が溝部４２ａを備えている。また、第２蓋７０の第１突起部７３は、第２実施形態の溝部４１ａと嵌合するのに代えて、溝部４２ａと嵌合するようになっている。以上の点において、第３実施形態は第１、第２実施形態と異なる。以下、第１、第２実施形態と異なる点についてのみ説明する。
【００５４】
第１蓋４０の溝部４２ａは、側面４２の上下方向略中央部に、円周に沿って備えられている。また、図１０に示すように、第２蓋７０の第１突起部７３は、他端側７１ｂの先端に突出するよう設けられている。本実施形態においては、第１実施形態の第２蓋７０における貫通孔７５を備えていない。なお、図１０（ａ）および図１０（ｂ）は、上述した図２（ａ）および図２（ｂ）に対応している。
【００５５】
図１１に示すように、第２開口６０の閉塞状態を達成する場合には、第２凹部１２に第２突起部７４を嵌合させる。この嵌合が維持されて、板状部７１により第２開口６０を覆う状態が維持されるよう、板状部７１のフラップ式の動作が規制される。この場合、フラップ式の動作において、板状部７１および第２開口６０のなす角度がゼロとなる状態が維持される。
【００５６】
図１２に示すように、第２開口６０の露出状態を達成する場合には、第２凹部１２に嵌合されている第２突起部７４を取り外し、板状部７１の他端側７１ｂを持ち上げて、第１蓋４０の溝部４２ａに第１突起部７３を嵌合させる。この嵌合が維持されて、板状部７１により第２開口６０を覆わない状態が維持されるよう、板状部７１のフラップ式の動作が規制される。この場合、フラップ式の動作において、板状部７１および第２開口６０のなす角度Ａがゼロより大きい状態が維持される。このように、接続部７２を支点とするフラップ式の動作に基づいて、第２開口６０の閉塞状態および露出状態が達成される。
【００５７】
以上、本考案の第３実施形態によっても、容器構造の複雑化を抑制でき、かつ、液体補充に手間取ることを抑制できる。特に、第１蓋４０に溝部４２ａが備えられ、第２蓋７０の第１突起部７３は、溝部４２ａと嵌合可能となっている。このため、第１実施形態のように、肩部２０に第１凹部２３を備える必要がなくなり、容器構造の複雑化を更に抑制することができる。
【００５８】
なお、本考案による液体容器における構成要素の形状、材料等は、実用新案登録請求の範囲のものであればよく、上記実施形態のものに限定されない。
【符号の説明】
【００５９】
１００…液体容器、１０…胴部、１１…上方端、１２…第２凹部、２０…肩部、２１…上方端、２３…第１凹部、３０…第１開口、４０…第１蓋、４１…頂面、４１ａ…溝部、４２…側面、４２ａ…溝部、５０…ノズル部、５２…チューブ、６０…第２開口、７０…第２蓋、７１…板状部、７１ａ…一端側、７１ｂ…他端側、７１ｃ…下底、７１ｄ…上底、７２…接続部、７２ｂ…折り目、７３…第１突起部、７４…第２突起部、７６…外縁膜、Ａ…角度
【図１】
0003232367.tif 000003
【図２】
0003232367.tif 000004
【図３】
0003232367.tif 000005
【図４】
0003232367.tif 000006
【図５】
0003232367.tif 000007
【図６】
0003232367.tif 000008
【図７】
0003232367.tif 000009
【図８】
0003232367.tif 000010
【図９】
0003232367.tif 000011
【図１０】
0003232367.tif 000012
【図１１】
0003232367.tif 000013
【図１２】
0003232367.tif 000014